(57)【特許請求の範囲】
【請求項１】
回転軸（２ａ）を有する切削具（２）の該回転軸（２ａ）に嵌着され使用される歯科切削具用ストッパーであって、樹脂材料から成り切削具（２）の回転軸（２ａ）と接する貫通孔（１ａａ）を有する係止材（１ａ）と、形状記憶材料から成り前記係止材（１ａ）の内部及び/または外側にあってその形状回復力で係止材（１ａ）を変形させることが可能な締付け材（１ｂ）とが一体となっていて、回転軸（２ａ）の長さ方向にその外周縁から前記貫通孔（１ａａ）まで達する切欠部（１ａｂ）を有することを特徴とする歯科切削具用ストッパー（１）。
【請求項２】
略円盤状である請求項１に記載の歯科切削具用ストッパー。
【請求項３】
端にフランジ（１ｃ）を持つ略円筒状である請求項１に記載の歯科切削具用ストッパー。
【発明の詳細な説明】
【技術分野】
【０００１】
本発明は、回転軸を有するドリルや根管切削具等の切削具に使用して切削深さを制限したり切削深さの目安とするための歯科切削具用ストッパーに関する。
【背景技術】
【０００２】
従来、欠如歯部における歯科補綴法としては、ブリッジによる方法と床義歯による方法とが一般に行われてきた。しかしながら、ブリッジによる方法は、欠如歯部の両側の健全な天然歯を切削して支台歯とし、この支台歯に欠如歯部に位置する歯科用補綴物に設けた金属体を係合させて固定する方法なので、健全な天然歯を切削して支台歯とするための係合部を設けなければならないばかりか、本来、欠如歯に加わっていた咬合力を支台歯が負担するので支台となっている天然歯の寿命を大きく縮めてしまうという欠点があった。また、床義歯による方法は、合成樹脂等で作製した床にレジンやセラッミク製の人工歯を固定したものを歯科用補綴物とする方法であるが、この方法では歯科用補綴物に作用する咬合力を残存天然歯及び／又は口腔粘膜によって負担させるものであるので、歯科用補綴物使用中に違和感があることや、口腔粘膜組織中に散在する味覚の受容器を義歯床が覆ってしまうことによる味覚の鈍麻が生じることがあり、更には長期間の使用によって顎堤の吸収を引き起こすという重大な欠点があった。
【０００３】
そこでこれらの欠点を解消する治療方法として、欠如歯部の顎骨内に形成した埋入穴内に歯科用補綴物の維持安定装置となるインプラントフィクスチャーを埋入して天然歯における歯根の機能を代行させ、このインプラントフィクスチャーの口腔内側に歯科用補綴物の固定装置を連結固定して歯科用補綴物維持装置とし、この歯科用補綴物維持装置に歯科用補綴物を固定する歯科用インプラントの技術が開発され実施されている。
【０００４】
このインプラント治療においては、顎骨にフィクスチャーを埋入する穴を正確に形成することが重要である。そのため、患者の顎骨の断層写真をコンピュータに取り込み、事前にフィクスチャーの埋入方向を決めてフィクスチャーを含む補綴装置の完成状態を正確にシミュレートしたデータに基づきフィクスチャーの埋入方向が規定された穴が形成された外科用テンプレートを作製し、該外科用テンプレートを患者の口腔内に装着して外科用テンプレートに形成された穴の方向に合わせてドリルを使用する方法が開発されている（例えば、特許文献１参照。）。このとき、埋入穴の方向は外科用テンプレートで規定され、埋入穴の深さは切削用ドリルの回転軸に回転軸と一体で形成されたフランジ状のストッパーによって規定される。
【０００５】
しかしながら、この治療方法を行うためにはフランジ付き切削具を使用する必要があるので、従来の回転軸にストッパーが形成されていない切削具を持つ多くの歯科医は各種切削深さに対応した切削具を新たに購入する必要があった。
【０００６】
【特許文献１】特表２００５−５１８８３４号公報
【発明の開示】
【発明が解決しようとする課題】
【０００７】
そこで本発明は、従来の回転軸にストッパーが形成されていない切削具であっても外科用テンプレートを用いた治療が可能となる歯科切削具用ストッパーを提供することを課題とする。
【課題を解決するための手段】
【０００８】
本発明者等は前述の課題を解決すべく鋭意検討を重ねた結果、切削具とは別体としてストッパーだけを供給することにより、従来の回転軸にストッパーが形成されていない切削具であっても外科用テンプレートを用いた治療が可能とし、更に外科用の切削具が使用前に必ず加熱滅菌されることに着目し、加熱滅菌に用いる温度で形状回復する形状記憶材料を歯科切削具用ストッパーに利用すると、加熱滅菌後には切削具の回転軸に強固に歯科切削具用ストッパーを固定することができることを見出して本発明を完成した。
【０００９】
即ち本発明は、回転軸を有する切削具の該回転軸に嵌着され使用されるストッパーであって、樹脂材料から成り切削具の回転軸と接する貫通孔を有する係止材と、形状記憶材料から成り前記係止材の内部及び／または外側にあってその形状回復力で係止材を変形させることが可能な締付け材とが一体となっていて、回転軸の長さ方向にその外周縁から前記貫通孔まで達する切欠部を有することを特徴とする歯科切削具用ストッパーである。
【発明の効果】
【００１０】
本発明に係る歯科切削具用ストッパーは、従来の回転軸にストッパーが形成されていない切削具であっても外科用テンプレートを用いた治療を可能とし、更に、切削用ドリルや根管切削具の使用時においても容易に位置がずれてしまうことのない優れた歯科切削具用ストッパーである。
【発明を実施するための最良の形態】
【００１１】
以下、図面により本発明に係る歯科切削具用ストッパーついて説明する。
図１は本発明に係る歯科切削具用ストッパーの１実施例の加熱前の状態を示す斜視説明図。図２は歯科切削具用ストッパーを取り付ける切削具の１例を示す斜視説明図。図３は図１の歯科切削具用ストッパーを図２の切削具に仮装着した状態を示す斜視説明図。図４は本発明に係る歯科切削具用ストッパーの他の形態を示す実施例の加熱前の状態を示す斜視説明図。図５は更に他の形態を示す本発明に係る歯科切削具用ストッパーを図２の切削具に装着し加熱した後の状態を示す斜視説明図。
【００１２】
図面中１は本発明に係る歯科切削具用ストッパーであり、例えば図２に例示したような、切削具２の回転軸２ａに嵌着され使用される。切削具２は回転軸を有する所謂ドリルの形状をなすものであれば特に制限無く使用することが可能であり、回転軸に切歯があってもなくても構わない。
【００１３】
本発明に係る歯科切削具用ストッパー１は、樹脂材料から成り前記回転軸２ａと接する貫通孔１ａａを有する係止材１ａと、形状記憶材料から成り前記係止材１ａの内部及び/または外側にあってその形状回復力で係止材１ａを変形させることが可能な締付け材１ｂとが一体となっていて、回転軸２ａの長さ方向にその外周縁から前記貫通孔１ａａまで達する切欠部１ａｂとから成る。
【００１４】
係止材１ａはプラスチックやゴムの柔軟性のある樹脂材料から成り、切削具２の回転軸２ａを取り囲むように使用される。係止材１ａの形状は回転軸２ａと接する貫通孔１ａａを有し、前記切欠部１ａｂとを有する形状であれば特に限定されない。図１，図３及び図４に示した円盤状の歯科切削具用ストッパーであれば係止材１ａには前記回転軸２ａの外径より僅かに大きな貫通孔１ａａが形成された形態を例示することができる。
【００１５】
係止材１ａは後述する締付け材１ｂによって回転軸２ａに嵌着される。本発明に係る歯科切削具用ストッパー１は、加熱滅菌の温度（約１３０℃）の熱を利用して形状記憶能を有する締付け材１ｂが回転軸を締付けるように復元させるため、係止材１ａの材質も耐熱性の高い樹脂、例えばポリプロピレン，ポリカーボネート，ポリアリレート，ポリスルホン，ポリフェニレンスルフィド，ポリエーテルエーテルケトン，ポリイミド樹脂，フッ素樹脂等であることが好ましく、特にポリアミドイミド，ポリエーテルエーテルケトンは２５０℃以上の耐熱性があるので好ましい。
【００１６】
締め付材１ｂは、形状記憶材料から成り、例えば図５に示すように該係止材１ａの内部に複数本が配置されていたり、図１及び図３に示すように係止材１ａの外側に係止材１ａを囲むように接着され固定されていても良い。また図４に示したように係止材１の外淵に溝を掘りそこへ嵌め込んで配置しても良く、いずれにしても回転軸２ａを取り囲むように配置される。
【００１７】
締付け材１ｂは、その形状回復力で係止材１ａを変形させる。締付け材１ｂは係止材１ａの回転軸に接する部分を回転軸より小さな円に収縮するよう記憶を与えておき、滅菌時の加熱によってその形状を復元することで係止材１を介して歯科切削具用ストッパー１を回転軸２ａに嵌着させる。締付け材１ｂは形状復元温度が５０〜１００℃程度の形状記憶合金であることが好ましい。
【００１８】
本発明に係る歯科切削具用ストッパーは、切削具２の回転軸２ａの長さ方向に、その外周縁から前記貫通孔１ａａまで達する切欠部１ａｂを有する。前記締付け材１ｂの形状回復力によって係止材１ａが切欠部１ａｂを無くすように変形して回転軸２ａに歯科切削具用ストッパーを嵌着させる。切欠部１ａｂは切削具２の回転軸２ａの長さ方向に図１，図３〜図５に示したように直線的であっても良いし、図示しないが回転軸２ａに対して斜め、クランク状あるいは波状等であっても良い。
【００１９】
本発明に係る歯科切削具用ストッパーの１実施例は図１及び図４に示すように円盤状であり、係止材１ａに貫通孔１ａａを有し、該貫通孔１ａａまで達する切欠部１ａｂを有する形態がある。この形態は正確に切削具の切削深さを知ることができる。他の形態としては、図示しないが、回転軸２ａを囲むように係止材を用い、その外側に形状記憶材料を用いて全体として一体となっているワッシャ状あるいはコイル状に形成された歯科切削具用ストッパーを挙げられる。
【００２０】
更に他の形態としては、片端にフランジ１ｃを持つ円筒状であり、貫通孔１ａａと該貫通孔まで達する切欠部１ａｂとを有する歯科切削具用ストッパーを図５に例示する。この場合は切削具２の回転軸２ａに確実に嵌着させることが可能であり、更にフランジ１ｃによって正確に切削深さを知ることができる。
【００２１】
本発明に係る歯科切削具用ストッパーの使用方法は、図１，図３〜図５に示した形態であれば、先ず歯科切削具用ストッパー１の貫通孔１ａａを切削具２の回転軸２ａの所定場所に装着し易くするために、切欠部１ａｂを開いて常温で該回転軸２ａよりも十分に大きな形状に変形させておく。切削具の深さを定めた後、術者により切欠部１ａｂを変形させて（最も簡単には切欠部を閉じて）歯科切削具用ストッパーを回転軸２ａにペンチや専用工具で仮止めする。切削具の使用前に通法に従いオートクレイブや乾燥オーブン等の加熱滅菌器にて８０〜１５０℃程度の温度で滅菌処理を行う。滅菌処理後には歯科切削具用ストッパー１は形状記憶材１ｂの復元力によって確実に回転軸２ａに嵌着しているので使用時に容易に位置がずれてしまうことがない。切削具の使用後に歯科切削具用ストッパーはペンチや専用工具で切欠部１ａｂを変形させることで回転軸から外され、洗浄後に次回の使用時まで保管される。
【００２２】
本発明に係る歯科切削具用ストッパーは、インプラント用の切削ドリルの他にも、例えば歯科用根管切削具のような従来から深さを制限するために使用されているストッパーに使用することもできる。
【図面の簡単な説明】
【００２３】
【図１】本発明に係る歯科切削具用ストッパーの１実施例の加熱前の状態を示す斜視説明図。
【図２】歯科切削具用ストッパーを取り付ける切削具の１例を示す斜視説明図。
【図３】図１の歯科切削具用ストッパーを図２の切削具に仮装着した状態を示す斜視説明図。
【図４】本発明に係る歯科切削具用ストッパーの他の形態を示す実施例の加熱前の状態を示す斜視説明図。
【図５】更に他の形態を示す本発明に係る歯科切削具用ストッパーを図２の切削具に装着し加熱した後の状態を示す斜視説明図。
【符号の説明】
【００２４】
１  歯科切削具用ストッパー
１ａ  係止材
１ａａ  貫通孔
１ａｂ  切欠部
１ｂ  締め付材
１ｃ  フランジ
２  切削具
２ａ  回転軸
【図１】
0005122202.tif 000002
【図２】
0005122202.tif 000003
【図３】
0005122202.tif 000004
【図４】
0005122202.tif 000005
【図５】
0005122202.tif 000006